(57)【特許請求の範囲】
【請求項１】
作業機を牽引する牽引車の運転席に設置される作業機用コントローラ装置であって、操作ボックスの操作面に複数の操作部材を設けたコントローラ装置本体と、このコントローラ装置本体を所定の設置スペースに支持させる支持部材からなり、コントローラ装置本体のボックス前板下部を前記支持部材の前側縁辺に着脱自在のヒンジ機構で連結し、支持部材の左右側辺に、コントローラ装置本体のボックス側面に対向させ、且つ、前記ヒンジ機構の支点を中心とする所定半径の案内溝を形成した上向き支持フレームを一体に形成するとともに、他方、コントローラ装置のボックス側面に、前記支持フレームの外側から案内溝を通した止め螺子を螺着し、止め螺子の締め付け位置により、コントローラ装置本体を支持フレームの円弧状案内溝に対して任意の上向き傾斜角度に固定できるようにしたことを特徴とする作業機用コントローラ装置
【請求項２】
コントローラ装置本体のボックス前板下部と支持部材の前側縁辺のヒンジ機構が、一方の部材に形成したフックと、他方の部材に形成され前記一方の部材のフックに着脱可能に係合されるスリットからなることを特徴とする請求項１記載の作業用コントローラ装置
【請求項３】
複数の操作部材群を露出させた操作ボックスの操作面を、これら操作部材の凹凸に対応する凹凸面を一体に有する可撓性シートで凹凸位置を合わせて被覆し、この可撓性シートの面上に、前記操作部材群に対応する開口群を形成した押圧プレートをその開口位置を合わせて嵌め込み、前記ボックス操作面に結合したことをさらに特徴とする請求項１又は２記載の作業機用コントローラ装置
【発明の詳細な説明】
【００１】
【発明の属する技術分野】
本発明は農業機械などの作業機を牽引する牽引車の運転席に設置される作業機用コントローラ装置に関する。
【００２】
【発明が解決しようとする課題】
トラクタなどの牽引車で牽引して作業を行うビートハーベスタなどの作業車は装備機械を操作するための専用のコントローラ装置を有している。この作業機用のコントローラ装置は牽引車のオペレータルームに設置され、牽引車の運転席で後方作業機を遠隔操作するようになっている。
【００３】
この種のコントローラ装置は運転席の前の水平面に設置されるものであるが、コントローラ装置本体の操作面には作業機の各種機構を操作するためのスイッチやレバーなどの操作部材群が配置されているため、運転席前方の台上に水平に設置すると先方の操作部材に手が届きにくくなる。特に、作業機のコントローラ装置は牽引車を運転しながら手さぐりで操作するため水平設置では使い勝手が悪く誤操作するおそれがある。
【００４】
この問題を解決するために、例えば、特許第２８９７９５４号のように、コントローラ装置の操作ボックスの前板下部を回動可能にヒンジ結合し、操作ボックスの操作面上向き傾斜させすべての操作部材に指が届くようにしたものがある。
【００５】
しかしながら、このものはコントローラ装置の裏側に支持台を介在させて操作面を上向き傾斜させるため、傾斜角度は支持台の寸法に規制される。従って、自由な角度に傾斜させることができなかった。
【００６】
また、コントローラ装置は各作業機に専用の装置で作業機を替える毎にトラクタ運転席から取外し、新たに付け替える必要があるが、従来のコントローラ装置は回動ヒンジ機構を有する傾斜支持台に一体結合されており、傾斜支持台を運転席の所定位置にボルトなどで固定しているため取外し、取付けにレンチなどの用具が必要になり手間がかかる。
【００７】
従って、本発明の第１の目的は、ボックス操作面を段差のない自由な傾斜角度に簡単に調整することができるとともに、用具を用いずに運転席に簡単に付け替えることができるコントローラ装置を提供することにある。
【００８】
ところで、一般にトラクタのオペレータルームは乗り降りや後方確認などのために解放されており、風雨が吹き込む状態で使用されるため、コントローラ装置も雨や風塵にさらされることが多い。
この種のコントローラ装置は、ボックスの操作面に作業機の各種機構を操作するためのスイッチやレバー等の操作部材を備えているため、風雨にさらされると水や塵が侵入して故障の原因になり、また、耐用年数が短くなる。
【００９】
従って、本発明の第２の目的は、雨や風にさらされても支障のない上記コントローラ装置を提供することにある。
【０１０】
【課題を解決するための手段】
上記第１の目的を達成するために、本発明の作業機用コントローラ装置は、作業機を牽引する牽引車の運転席に設置される作業機用コントローラ装置であって、操作ボックスの操作面に複数の操作部材を設けたコントローラ装置本体と、このコントローラ装置本体を所定の設置スペースに支持させる支持部材からなり、コントローラ装置本体のボックス前板下部を前記支持部材の前側縁辺に着脱自在のヒンジ機構で連結し、支持部材の左右側辺に、コントローラ装置本体のボックス側面に対向させ、且つ、前記ヒンジ機構の支点を中心とする所定半径の案内溝を形成した上向き支持フレームを一体に形成するとともに、他方、コントローラ装置本体のボックス側面に、前記支持フレームの外側から案内溝を通した止め螺子を螺着し、止め螺子の締め付け位置により、前記コントローラ装置本体を支持フレームの円弧状案内溝に対して任意の上向き傾斜角度に固定できるようにしたことを特徴とする
【０１１】
コントローラ装置本体のボックス前板下部と支持部材の前側縁辺のヒンジ機構は、好ましくは、一方の部材に形成した係合フックと、他方の部材に形成され前記一方の部材の係合フックに着脱可能に係合されるスリットで構成する。
【０１２】
上記第２の目的を達成するために、本発明の作業機用コントローラ装置は、複数の操作部材群を露出させた上記操作ボックスの操作面を、これら操作部材の凹凸に対応する凹凸面を一体に有する可撓性シートで凹凸位置を合わせて被覆し、このゴムシートの面上に、前記操作部材群に対応する開口群を形成した押圧プレートをその開口位置を合わせて嵌め込み、前記ボックス操作面に結合したことをさらに特徴とする。
【０１３】
【発明の実施の形態】
以下に、本発明の実施例を添付図面に基づいて説明する。
図１に示すように、本発明のコントローラ装置１はトラクタなどの運転席前方の設置場所に固定される支持部材２と、この支持部材２に傾斜角度をもって着脱自在に係着されるコントローラ装置本体３で構成されている。
【０１４】
コントローラ装置本体３はボックス３´の前板下部４を支持部材２の前側縁辺５にヒンジ機構で回動自在に係着させるとともに、ボックス３´の操作面３ａを前方へ向けて上向き傾斜させて支持されるようになっている。
【０１５】
このため、支持部材２の前側縁辺５に係合フック６を形成するとともに、支持部材２の左右に支持プレート７、７を垂直に設け、この支持プレート７、７に前記係合フック６を中心とする半径に沿った円弧状の案内溝８を形成してある。
【０１６】
他方、コントローラ装置本体３のボックス３´の前板下部４に支持部材２の前記係合フック６に係合するスリット９を形成するとともに、支持部材２の案内溝８に対応するボックス３´の左右側面位置にねじ孔１０を形成し、支持プレート７の外側から案内溝８を通した止めねじ１１をボックス３´のねじ孔１０に締付けてコントローラ装置本体３を支持部材２の支持プレート７に固定するようになっている。
【０１７】
かくして、コントローラ装置本体３の前板下部４のスリット９を支持部材２の前川縁辺９の係合フック６に引掛けることにより、コントローラ装置本体３の前板下部４は、支持部材２の前川縁辺９に着脱自在のヒンジ機構で回動可能に係着されるとともに、止めねじ１１を任意の位置で締付けることにより、ボックス操作面３ａの傾斜角度を案内溝８が許容する任意の角度に設定することができる。
【０１８】
なお、図中、符号１２で示す部材はコントローラ装置１を取り外して持ち運ぶ際の把手である。
【０１９】
ところで、コントローラ装置本体３は、前記のように作業機の各種装備機構の制御機器を内臓したボックス３´有し、このボックス３´の操作面３ａに、内部の制御機器を操作して作業機の装備機構を沿革操作するスイッチやレバーなどの操作部材１３群が取り付けられている。
【０２０】
コントローラ装置本体３のこれら操作部材１３群は、ボックス３´の内側から外部に露出しているため、風雨にさらされると水や塵が取付周囲の隙間から侵入し、内部の制御機器に悪い影響を与える。
そこで、本発明は、操作部材１３群を露出させたボックス３´の操作面３ａ上を防水防塵用の可撓性シート１４で被覆し、その上から押圧プレート１５を押し当ててボックス３´の操作面３ａに固定するようになっている。
【０２１】
可撓性シート１４は、防水防塵の目的で操作部材１３群を含むボックス操作面３ａを覆うためのもので、軟らかく弾性のあるゴム、合成ゴム、プラスチックなどの材質からなり、前記操作部材１３群の凹凸に対応する凹凸面１６群を一体に形成し、シート１４の凹凸面１６群を操作部材１３群の凹凸にそれぞれ対応して嵌め込むようになっている。
【０２２】
押圧プレート１５は、鉄板、プラスチック板など好ましくは硬質の板材からなり、可撓性シート１４の凹凸面１６群に対応する位置に、これら各々の凹凸面１６を通す開口１７群が形成されている。
【０２３】
かくして、本発明のコントローラ装置１は、図２のように、可撓性シート１４の各凹凸面１６に、これに対応するボックス３´の各操作部材１３を嵌合してボックス３´の操作面３ａ上を可撓性シート１４で覆い、しかる後、押圧プレート１５の各開口１７にこれと対応するシート１４の各凹凸面１６を通してボックス３´と可撓性シート１４と押圧プレート１５を一体に結合してなるものである。
【０２４】
図の実施例はボックス３´、可撓性シート１４、押圧プレート１５を重ね合わせてねじボルト１８で結合しているが、結合手段はこれに限らず、ばねによる締付けなど他の方法を用いてもよい。
【０２５】
【効果】
本発明のコントローラ装置は、コントローラ装置本体と支持機構を着脱自在のヒンジ機構で係着してあるので作業機取替えに際し、コントローラ装置の着脱が容易であるとともに、支持部材の円弧状案内溝にそってコントローラ装置本体を上向き傾斜状に支持させるようにしたので、コントローラ装置本体を段差のない任意の傾斜角度に調整することができる。
【０２６】
操作部材を突出させたコントロール装置本体の操作面全面を防水防塵シートで被覆下ことにより、操作部材の取付け部周辺から雨水や塵埃が浸入しない。
【０２７】
また、防水防塵シートは、操作部材の凹凸に対応する凹凸面で操作部材にフイットさせ、その上面を押圧プレートで押さえているので操作部材の手ざわりが安定し、使い勝手に支障がない。
【図面の簡単な説明】
【図１】本発明の一実施例によるコントローラ装置の構成部材説明図
【図２】図１実施例によるコントローラ装置の組付図
【図３】図２の側面図
【図４】本発明の他の実施例によるコントローラ装置の組付け説明図
【符号の説明】
１…コントローラ装置
２…支持部材
３…コントローラ装置本体
３´…ボックス
３ａ…操作面
４…前板下部
５…前側縁辺
６…係合フック
７…支持プレート
８…案内溝
９…スリット
１０…ねじ孔
１１…止めねじ
１２…把手
１３…操作部材
１４…可撓性シート
１５…押圧プレート
１６…凹凸面
１７…開口
１８…ねじボルト
【図１】
0003610048.tif 000002
【図２】
0003610048.tif 000003
【図３】
0003610048.tif 000004
【図４】
0003610048.tif 000005